(57)【要約】【課題】検査チップの全体サイズを抑制しつつ、適切な液体を保持部に保持させることが可能な検査チップ及び検査システムを提供する。【解決手段】測定部３９０は、液体を保持可能な領域であって、保持された液体の下流側への流出が複数回行われる。第一廃液部７１０は、測定部３９０から流出した液体を受ける領域である。第二廃液部７３０は、第一廃液部７１０から流出した液体を受ける領域である。狭小流路７２０は、壁面７２１に囲まれて形成された、第一廃液部７１０と第二廃液部７３０とを接続する流路である。液体は、狭小流路７２０の流路断面を閉塞しながら、壁面７２１に沿って移動する。第一廃液部７１０、第二廃液部７３０、狭小流路７２０、及び連通路８００は、測定部３９０を囲む循環経路を形成する。【選択図】図３
2017067567.tif 000002
【特許請求の範囲】
【請求項１】
液体を保持可能な領域であって、保持された前記液体の下流側への流出が複数回行われる保持部と、
前記保持部の下流側に設けられ、前記保持部から流出した前記液体を受ける領域である第一廃液部と、
前記第一廃液部の下流側に設けられ、前記第一廃液部から流出した前記液体を受ける領域である第二廃液部と、
壁面に囲まれて形成された、前記第一廃液部と前記第二廃液部とを接続する流路であって、前記液体が流路断面を閉塞しながら前記壁面に沿って移動する狭小流路と、
前記第二廃液部から前記保持部に接続する連通路とを備え、
前記第一廃液部、前記第二廃液部、前記狭小流路、及び前記連通路は、前記保持部を囲む循環経路を形成する
ことを特徴とする検査チップ。
【請求項２】
前記保持部は、所定方向に凹む壁部によって囲まれた領域であり、
前記壁部は、前記保持部に保持された前記液体を下流側に案内する面を有する案内壁と、前記案内壁と対向する面を有する対向壁とを含み、
前記連通路は、前記対向壁を貫通して、前記保持部の内部と連通する
ことを特徴とする請求項１に記載の検査チップ。
【請求項３】
前記保持部は、前記第一廃液部と前記第二廃液部とに挟まれた位置に配置され、
前記案内壁は、前記保持部と前記第一廃液部とを隔てる壁部であり、
前記対向壁は、前記保持部と前記第二廃液部とを隔てる壁部である
ことを特徴とする請求項２に記載の検査チップ。
【請求項４】
前記保持部、前記第一廃液部、前記第二廃液部、前記狭小流路、及び前記連通路を含み、前記液体が移動可能な流路である液体流路と、
前記液体流路が凹部として一面に形成された基板と
を備えたことを特徴とする請求項１から３の何れかに記載の検査チップ。
【請求項５】
液体が内部で移動可能な検査チップと、前記検査チップに遠心力を作用させる検査装置とを含む検査システムであって、
前記検査チップは、
前記液体を保持可能な領域であって、保持された前記液体の下流側への流出が複数回行われる保持部と、
前記保持部の下流側に設けられ、前記保持部から流出した前記液体を受ける領域である第一廃液部と、
前記第一廃液部の下流側に設けられ、前記第一廃液部から流出した前記液体を受ける領域である第二廃液部と、
壁面に囲まれて形成された、前記第一廃液部と前記第二廃液部とを接続する流路であって、前記液体が流路断面を閉塞しながら前記壁面に沿って移動する狭小流路と、
前記第二廃液部から前記保持部に接続する連通路とを備え、
前記第一廃液部、前記第二廃液部、前記狭小流路、及び前記連通路は、前記保持部を囲む循環経路を形成し、
前記検査装置は、
第一軸を中心として前記検査チップを回転させることで、前記検査チップに遠心力を作用させる公転手段と、
前記第一軸とは異なる第二軸を中心として、前記検査チップを第一角度及び第二角度の範囲内で回転させることで、前記検査チップに作用する前記遠心力の方向を変化させることが可能な自転手段とを備え、
前記連通路が前記第二廃液部から前記保持部に延びる方向は、前記第一角度にある前記検査チップに作用する前記遠心力の方向と直交する方向に対して傾斜し、且つ、前記第二角度にある前記検査チップに作用する前記遠心力の方向と直交する方向に対して傾斜する
ことを特徴とする検査システム。
【請求項６】
前記連通路が前記第二廃液部から前記保持部に延びる方向は、前記第一角度及び前記第二角度の範囲内で回転する前記検査チップに作用する全ての前記遠心力の方向と異なることを特徴とする請求項５に記載の検査システム。
【発明の詳細な説明】
【技術分野】
【０００１】
本発明は、液体が内部で移動可能な検査チップ、及び液体を検査チップ内で移動させることが可能な検査システムに関する。
【背景技術】
【０００２】
従来、液体が内部で移動可能な検査チップ、及び液体を検査チップ内で移動させることが可能な検査システムが知られている（例えば、特許文献１参照）。特許文献１に開示の分析チップでは、分析チップの外部に連通する空気穴が、廃液部である第８層に設けられている。空気穴は、遠心力による流体回路内の液体移動を円滑に行なわせる役割を果たす。分析チップ内の液体は、第８層の上流側に設けられた保持部である第７槽から、空気穴が設けられた第８層へ円滑に移動できる。
【先行技術文献】
【特許文献】
【０００３】
【特許文献１】特開２０１３−５０４３５号公報
【発明の概要】
【発明が解決しようとする課題】
【０００４】
特許文献１に開示の分析チップでは、第８層内にある液体の蒸発に伴う体積変化によって、第７槽にある液体が第８層へ強制的に流出する場合がある。この場合、第７槽に貯留される液体の液量が変化するため、第７槽において液体を正確に反応させることができない可能性があった。
【０００５】
これを防止するために、第８層に空気穴を設けないことで、第８層を閉塞することが考えられる。しかしながら、本例の分析チップでは、液体が第７槽から第８層へ移動される場合、第８層に流入する液体と第８層内にある空気と入れ替わりが生じにくい。その結果、液体が第７槽と第８層との接続流路内で滞留した後、接続流路から第７槽に逆流する場合がある。この場合も、第７槽に貯留される液体の液量が変化するため、第７槽において液体を正確に反応させることができない可能性があった。
【０００６】
更に、第８層内にある液体の蒸発に伴う体積変化による影響を抑制するために、第８層の容量を大きくすることが考えられる。しかしながら、本例の分析チップでは、第８層の拡大に伴って、分析チップの全体サイズが拡大する可能性があった。
【０００７】
本発明の目的は、検査チップの全体サイズを抑制しつつ、適切な液体を保持部に保持させることが可能な検査チップ及び検査システムを提供することである。
【課題を解決するための手段】
【０００８】
本発明の第一態様に係る検査チップは、液体を保持可能な領域であって、保持された前記液体の下流側への流出が複数回行われる保持部と、前記保持部の下流側に設けられ、前記保持部から流出した前記液体を受ける領域である第一廃液部と、前記第一廃液部の下流側に設けられ、前記第一廃液部から流出した前記液体を受ける領域である第二廃液部と、壁面に囲まれて形成された、前記第一廃液部と前記第二廃液部とを接続する流路であって、前記液体が流路断面を閉塞しながら前記壁面に沿って移動する狭小流路と、前記第二廃液部から前記保持部に接続する連通路とを備え、前記第一廃液部、前記第二廃液部、前記狭小流路、及び前記連通路は、前記保持部を囲む循環経路を形成することを特徴とする。
【０００９】
これによれば、保持部に保持された液体の下流側への流出が、複数回行われる。保持部から流出した液体は、第一廃液部によって受けられる。第一廃液部から下流側に流出する液体は、狭小流路において流路断面を閉塞しながら壁面に沿って移動して、第二廃液部によって受けられる。このとき、第二廃液部にある空気は、第二廃液部に移動する液体の圧力によって、連通路を介して保持部に流出する。従って、保持部から下流側に流出した液体は、第一廃液部及び狭小流路を経由して、第二廃液部までスムーズに移動できる。保持部から流出した液体が保持部に逆流することを、第二廃液部を大容量化することなく防止できる。即ち、検査チップの全体サイズを抑制しつつ、適切な液体を保持部に保持させることができる。
【００１０】
前記保持部は、所定方向に凹む壁部によって囲まれた領域であり、前記壁部は、前記保持部に保持された前記液体を下流側に案内する面を有する案内壁と、前記案内壁と対向する面を有する対向壁とを含み、前記連通路は、前記対向壁を貫通して、前記保持部の内部と連通してもよい。この場合、保持部に保持されている液体は、対向壁とは反対側にある案内壁に沿って下流側に移動されるため、対向壁に形成された連通路に進入しにくい。従って、保持部に保持されている液体が、連通路を介して第二廃液部に流入することを抑制できる。
【００１１】
前記保持部は、前記第一廃液部と前記第二廃液部とに挟まれた位置に配置され、前記案内壁は、前記保持部と前記第一廃液部とを隔てる壁部であり、前記対向壁は、前記保持部と前記第二廃液部とを隔てる壁部でもよい。この場合、連通路を保持部と第二廃液部とを隔てる壁部に設けることで、保持部を囲む循環経路を省スペース且つ簡易に形成できる。
【００１２】
前記保持部、前記第一廃液部、前記第二廃液部、前記狭小流路、及び前記連通路を含み、前記液体が移動可能な流路である液体流路と、前記液体流路が凹部として一面に形成された基板とを備えてもよい。この場合、基板の一面に凹部として液体流路を形成することで、保持部を囲む循環経路を有する検査チップを容易に製造できる。
【００１３】
本発明の第二態様に係る検査システムは、液体が内部で移動可能な検査チップと、前記検査チップに遠心力を作用させる検査装置とを含む検査システムであって、前記検査チップは、前記液体を保持可能な領域であって、保持された前記液体の下流側への流出が複数回行われる保持部と、前記保持部の下流側に設けられ、前記保持部から流出した前記液体を受ける領域である第一廃液部と、前記第一廃液部の下流側に設けられ、前記第一廃液部から流出した前記液体を受ける領域である第二廃液部と、壁面に囲まれて形成された、前記第一廃液部と前記第二廃液部とを接続する流路であって、前記液体が流路断面を閉塞しながら前記壁面に沿って移動する狭小流路と、前記第二廃液部から前記保持部に接続する連通路とを備え、前記第一廃液部、前記第二廃液部、前記狭小流路、及び前記連通路は、前記保持部を囲む循環経路を形成し、前記検査装置は、第一軸を中心として前記検査チップを回転させることで、前記検査チップに遠心力を作用させる公転手段と、前記第一軸とは異なる第二軸を中心として、前記検査チップを第一角度及び第二角度の範囲内で回転させることで、前記検査チップに作用する前記遠心力の方向を変化させることが可能な自転手段とを備え、前記連通路が前記第二廃液部から前記保持部に延びる方向は、前記第一角度にある前記検査チップに作用する前記遠心力の方向と直交する方向に対して傾斜し、且つ、前記第二角度にある前記検査チップに作用する前記遠心力の方向と直交する方向に対して傾斜することを特徴とする。
【００１４】
これによれば、検査装置が第一軸を中心として検査チップを回転させるのに応じて、検査チップに遠心力が作用する。検査装置が第二軸を中心として、検査チップを第一角度及び第二角度の範囲内で回転させるのに応じて、検査チップに作用する遠心力の方向が変化する。検査チップに作用する遠心力に応じて、液体が検査チップ内で移動される。保持部に保持された液体の下流側への流出が、複数回行われる。保持部から流出した液体は、第一廃液部によって受けられる。第一廃液部から下流側に流出する液体は、狭小流路において流路断面を閉塞しながら壁面に沿って移動して、第二廃液部によって受けられる。このとき、第二廃液部にある空気は、第二廃液部に移動する液体の圧力によって、連通路を介して保持部に流出する。
【００１５】
従って、保持部から下流側に流出した液体は、第一廃液部及び狭小流路を経由して、第二廃液部までスムーズに移動できる。保持部から流出した液体が保持部に逆流することを、第二廃液部を大容量化することなく防止できる。即ち、検査チップの全体サイズを抑制しつつ、適切な液体を保持部に保持させることが可能である。更に、連通路が第二廃液部から保持部に延びる方向は、検査チップに作用する可能性がある全ての遠心力の方向と異なる。従って、検査装置が検査チップに遠心力を付与した場合に、第二廃液部にある液体が連通路を介して保持部に流出することを抑制できる。
【００１６】
前記連通路が前記第二廃液部から前記保持部に延びる方向は、前記第一角度及び前記第二角度の範囲内で回転する前記検査チップに作用する全ての前記遠心力の方向とは異なってもよい。この場合、連通路が第二廃液部から保持部に延びる方向は、検査チップに作用する可能性がある全ての遠心力の方向と異なる。従って、検査装置が検査チップに遠心力を付与した場合に、第二廃液部にある液体が連通路を介して保持部に流出することを抑制できる。
【図面の簡単な説明】
【００１７】
【図１】検査装置１及び制御装置９０を含む検査システム３の構成を示す図である。
【図２】検査チップ２の正面図である。
【図３】廃液部７００近傍の拡大正面図である。
【図４】遠心処理のフローチャートである。
【図５】遠心処理における検査チップ２の状態遷移図である。
【図６】図５から続く状態遷移図である。
【図７】図６から続く状態遷移図である。
【図８】遠心処理における廃液部７００近傍の拡大正面図である。
【図９】遠心処理における廃液部７００近傍の拡大正面図である。
【図１０】第一変形例に係る検査チップ２Ａの部分拡大正面図である。
【図１１】第二変形例に係る検査チップ２Ｂの部分拡大正面図である。
【図１２】第三変形例に係る検査チップ２Ｃの部分拡大正面図である。
【発明を実施するための形態】
【００１８】
本発明を具体化した実施形態について、図面を参照して説明する。図１は、検査システム３を構成する検査装置１の平面及び制御装置９０の内部の機能ブロックを示す。
【００１９】
＜１．検査システム３の概略構造＞
図１を参照して、検査システム３の概略構造を説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２からみた検査チップ２に作用する遠心力の方向が切り替えられる。尚、本実施形態の検査システム３及び検査装置１は、特開２０１２−７８１０７号公報に記載されているように周知の構造であるので、以下の説明では、検査装置１の概略構造を説明する。
【００２０】
＜２．検査装置１の構造＞
図１を参照して、検査装置１の構造を説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。図１は検査装置１の上部筐体３０の天板が取り除かれた状態を示す。
【００２１】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２２】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００２３】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２４】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２５】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２６】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２７】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２８】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２９】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００３０】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３１】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、検査チップ２が自転可能な角度幅は、自転角度０度〜１８０度である。本実施形態では、後述の遠心処理（図４参照）において、自転角度が０度〜９０度の角度幅で制御される。
【００３２】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３３】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３４】
＜３．制御装置９０の電気的構成＞
図１を参照して、制御装置９０の電気的構成を説明する。制御装置９０は、検査装置１の主制御を司るＣＰＵ１０１と、各種データを一時的に記憶するＲＡＭ１０２と、制御プログラムを記憶したＲＯＭ１０３とを有する。ＣＰＵ１０１には、ユーザが制御装置９０に対する指示を入力するための操作部１０４と、各種データ、及びプログラムを記憶するハードディスク装置１０５と、各種情報を表示するディスプレイ１０６とが接続されている。制御装置９０としては、パーソナルコンピュータを用いてもよいし、専用の制御装置を用いてもよい。
【００３５】
更にＣＰＵ１０１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ１０１が公転コントローラ９７、自転コントローラ９８及び測定コントローラ９９を制御する。
【００３６】
＜４．検査チップ２の全体構造＞
図２を参照して、本実施形態に係る検査チップ２の全体構造を説明する。以下の説明では、図２の上方、下方、左方、右方、紙面手前側、及び紙面奥側を、それぞれ、検査チップ２の上方、下方、左方、右方、前方、及び後方とする。本実施形態では、検査チップ２が使用され、ＥＬＩＳＡ法によって検査が行われる。
【００３７】
図２に示すように、検査チップ２は一例として前方から見た場合に上辺部８１、下辺部８４、右辺部８２、及び左辺部８３を有する正方形状であり、所定の厚みを有する透明な合成樹脂の板材１９を主体とする。板材１９の前面２０３は、透明の合成樹脂の薄板から構成されたシート２９１によって封止されている。板材１９とシート２９１との間には、検査チップ２に封入された液体が流動可能な液体流路２５が形成されている。液体流路２５は、前面２０３に所定深さに形成された凹部であり、板材１９の厚み方向である前後方向と直交する方向に延びる。シート２９１は、板材１９の流路形成面を封止する。シート２９１は、図２以外では図示を省略している。
【００３８】
液体流路２５は、試料液導入部３１０、第一洗浄液導入部３２０、標識抗体液導入部３３０、第二洗浄液導入部３４０、基質溶液導入部３５０、停止液導入部３６０、共通受部３７０、反応部３８０、測定部３９０、廃液部７００、第一受部４５０、第二受部４６０、第三受部４７０、第四受部５５０、注入路４８０，４９０．５００，５１０，５２０，５３０等を含む。試料液導入部３１０、第一洗浄液導入部３２０、標識抗体液導入部３３０、第二洗浄液導入部３４０、基質溶液導入部３５０、停止液導入部３６０、反応部３８０、及び測定部３９０は、夫々下方向に凹み、上方に開口している。
【００３９】
反応部３８０を形成する壁面には、固相化された抗体である固相化抗体が配置されている。試料液導入部３１０、第一洗浄液導入部３２０、標識抗体液導入部３３０、第二洗浄液導入部３４０、基質溶液導入部３５０、及び停止液導入部３６０は、夫々、試料液９１、第一洗浄液９２、標識抗体液９３、第二洗浄液９４、基質溶液９５、停止液９６が保持される部位である。
【００４０】
試料液９１は、例えば、血液、血漿、血球、骨髄、尿、膣組織、上皮組織、腫瘍、精液、唾液、動物の組織、動物の血液、又は食料品などの検査対象物質の成分を含む液体である。試料液９１に含まれる検査対象物質は、固相化抗体と結合される。第一洗浄液９２は、固相化抗体と結合していない試料液９１の成分を除去するための液体である。標識抗体液９３は、酵素標識抗体を含む液体である。酵素標識抗体は、酵素で標識された抗体である。標識抗体液９３に含まれる酵素標識抗体は、検査対象物質及び固相化抗体の結合体と特異的に結合される。
【００４１】
第二洗浄液９４は、検査対象物質及び固相化抗体の結合体と結合していない標識抗体液９３の成分を除去するための液体である。基質溶液９５は、第二洗浄液９４によって洗浄された後の固相化抗体に接触されて、酵素標識抗体と酵素反応される液体である。停止液９６は、基質溶液９５と混合されて、酵素反応の進行を停止させるための液体である。本実施形態では、後述する光学測定において、基質溶液９５が酵素反応することによって生じる蛍光物質又は呈色物質が検出されて、検査対象物質が測定される。
【００４２】
本実施形態では、試料液９１、第一洗浄液９２、標識抗体液９３、第二洗浄液９４、基質溶液９５、及び停止液９６の各々と、液体流路２５を形成する壁面とが静的に接触した場合になす角度である接触角は、何れも９０度以下である。以下では、理解を容易にするために、試料液９１、第一洗浄液９２、標識抗体液９３、第二洗浄液９４、基質溶液９５、及び停止液９６の各接触角は、互いに同じであるものとする。
【００４３】
試料液導入部３１０は、検査チップ２の右上部に設けられている。注入路４８０は、試料液導入部３１０の左上部から上方に延び、上辺部８１を貫通する。注入路４８０は、試料液導入部３１０に試料液９１が注入される部位である。第一洗浄液導入部３２０は、試料液導入部３１０より下方向に位置する。注入路４９０は、第一洗浄液導入部３２０の左上部から上方に延び、上辺部８１を貫通する。注入路４９０は、第一洗浄液導入部３２０に第一洗浄液９２を注入する部位である。第一洗浄液導入部３２０の右下方には、共通受部３７０が設けられている。共通受部３７０は、上方に開口する凹部である。試料液導入部３１０の右上部と第一洗浄液導入部３２０の右上部とは、下方に延びる流路６１０を介して共通受部３７０に接続されている。
【００４４】
停止液導入部３６０は、検査チップ２の左上部に設けられている。注入路５３０は、停止液導入部３６０の左上部から上方に延び、上辺部８１を貫通する。注入路５３０は、停止液導入部３６０に停止液９６を注入する部位である。基質溶液導入部３５０は、停止液導入部３６０より下方に位置する。注入路５２０は、基質溶液導入部３５０の左上部から上方に延び、上辺部８１を貫通する。注入路５２０は、基質溶液導入部３５０に基質溶液９５を注入する部位である。
【００４５】
第二洗浄液導入部３４０は、基質溶液導入部３５０より下方に位置する。注入路５１０は、第二洗浄液導入部３４０の左上部から上方に延び、上辺部８１を貫通する。注入路５１０は、第二洗浄液導入部３４０に第二洗浄液９４を注入する部位である。標識抗体液導入部３３０は、基質溶液導入部３５０より下方に位置する。注入路５００は、標識抗体液導入部３３０の左上部から上方に延び、上辺部８１を貫通する。注入路５００は、標識抗体液導入部３３０に標識抗体液９３を注入する部位である。
【００４６】
試料液導入部３１０を形成する壁面のうちの下流の壁面を、第一壁面５０１という。第一洗浄液導入部３２０を形成する壁面のうちの下流の壁面を、第二壁面５０２という。標識抗体液導入部３３０を形成する壁面のうちの下流の壁面を、第三壁面５０３という。停止液導入部３６０を形成する壁面のうちの下流の壁面を、第四壁面５０４という。基質溶液導入部３５０を形成する壁面のうちの下流の壁面を、第五壁面５０５という。第二洗浄液導入部３４０を形成する壁面のうちの下流の壁面を、第六壁面５０６という。
【００４７】
第一〜第六壁面５０１〜５０６の傾斜角を、夫々、Ｒ１、Ｒ２、Ｒ３、Ｒ４、Ｒ５、及びＲ６とする。図２においては、一例として、傾斜角Ｒ１〜Ｒ６を、第一〜第六壁面５０１〜５０６の夫々と下方向とのなす角で示す。傾斜角Ｒ１〜Ｒ６は、以下の式（１）の関係を有する。
Ｒ３，Ｒ４，Ｒ５，Ｒ６＞Ｒ２＞Ｒ１    ・・・（１）
なおＲ３〜Ｒ６は、本実施形態では互いに同じ角度であるが、互いに異なる角度でもよい。
【００４８】
第一受部４５０は、停止液導入部３６０の右上部分から下方向に延びる流路である。第一受部４５０は、右方に凹んでいる。第一受部４５０の左下部は、基質溶液導入部３５０に接続されている。第二受部４６０は、基質溶液導入部３５０の右上部分から下方向に延びる流路である。第二受部４６０は、右方に凹んでいる。第二受部４６０の左下部は、第二洗浄液導入部３４０に接続されている。第三受部４７０は、第二洗浄液導入部３４０の右上部分から下方向に延びる流路である。第三受部４７０は、右方に凹んでいる。第三受部４７０の左下部は、標識抗体液導入部３３０に接続されている。
【００４９】
標識抗体液導入部３３０の右部は、第三受部４７０の右側を通って右斜め上方に延びる。標識抗体液導入部３３０の右上端は、第一洗浄液導入部３２０の下側において右方に延び、流路６２０の左端部に接続する。流路６２０は、右方に延びて、共通受部３７０に接続する。共通受部３７０の左下部は、反応部３８０に接続されている。第四受部５５０は、反応部３８０の右上部分から下方向に延びる流路である。第四受部５５０は、右方に凹んでいる。
【００５０】
第四受部５５０の左下部は、測定部３９０に接続されている。測定部３９０は、試料液９１を含む液体が測定される部位である。測定部３９０の右上部は、廃液部７００に接続されている。測定部３９０から廃液部７００に流出する液体を、廃液８５（図５の状態Ｆ５等参照）という。測定部３９０は、その右上端部である流出端部３９１から、廃液８５を廃液部７００に流出させる。
【００５１】
＜５．廃液部７００の詳細構造＞
図３を参照して、廃液部７００の詳細構造を説明する。廃液部７００は、第一廃液部７１０、狭小流路７２０、及び第二廃液部７３０を備える。第一廃液部７１０は、測定部３９０の右上部から下方向に延びる。狭小流路７２０は、測定部３９０の下側を通って、第一廃液部７１０の下端部から左方向に延びる。第二廃液部７３０は、狭小流路７２０の左端部から上側に凹む凹部である。第二廃液部７３０の下端部７３１は、狭小流路７２０の左端部と接続する。第二廃液部７３０の上端部７３２は、測定部３９０と反応部３８０との間にある。第二廃液部７３０の右端部７３３は、測定部３９０と狭小流路７２０との間にある。
【００５２】
第二廃液部７３０と標識抗体液導入部３３０とを隔てる壁部を、隔壁７４１という。第二廃液部７３０と反応部３８０とを隔てる壁部を、隔壁７４２という。第二廃液部７３０と測定部３９０とを隔てる壁部を、隔壁７４３という。第二廃液部７３０と第一廃液部７１０及び狭小流路７２０とを隔てる壁部を、隔壁７４４という。第二廃液部７３０は、隔壁７４１を挟んで標識抗体液導入部３３０の右側に配置される。第二廃液部７３０は、隔壁７４２を挟んで反応部３８０の下側に配置される。第二廃液部７３０は、隔壁７４３を挟んで測定部３９０の下側に配置される。第二廃液部７３０は、隔壁７４４を挟んで、第一廃液部７１０の左側且つ狭小流路７２０の上側に配置される。
【００５３】
第一廃液部７１０と狭小流路７２０との接続部を、接続部７５１という。接続部７５１は、第一廃液部７１０の左下端部の後面から狭小流路７２０に右端部の後面に向けて、左斜め前方に傾斜し且つ上下方向の幅が漸減するテーパ状の壁面である。狭小流路７２０と第二廃液部７３０との接続部を、接続部７５２という。接続部７５２は、下端部７３１の後面から狭小流路７２０の左端部の後面に向けて前方に突出する段差部である。狭小流路７２０は、接続部７５１，７５２の間で左右方向に延びる壁面７２１に囲まれて形成された流路である。
【００５４】
先述の測定部３９０は、下方向に凹む壁部３９２によって囲まれた領域である。壁部３９２は、隔壁７４３と隔壁７４５の一部とを含む。隔壁７４５は、測定部３９０と第一廃液部７１０とを隔てる壁部である。隔壁７４５において測定部３９０を囲む面は、測定部３９０に保持された液体を下流側に案内する案内面３９３である。隔壁７４３において測定部３９０を囲む面は、案内面３９３と対向する対向面３９４である。
【００５５】
測定部３９０から下流側に流出した液体は、廃液部７００の右面をなす壁面７０１に沿って、第一廃液部７１０内を下方向に移動可能である。更に液体は、廃液部７００の下面をなす壁面７０２に沿って、第一廃液部７１０から第二廃液部７３０まで移動可能である。即ち液体は、狭小流路７２０を経由して、第一廃液部７１０から第二廃液部７３０まで移動可能である。第二廃液部７３０に流入した液体は、第二廃液部７３０内で下端部７３１から上側に移動可能である。更に液体は、隔壁７４４の上面である壁面７０３に沿って、下端部７３１から右端部７３３に向けて右上方に移動可能である。
【００５６】
狭小流路７２０の上下方向の幅は、その内部で移動する液体を狭小流路７２０における上面及び下面の両方に接触させるように小さい。狭小流路７２０の前後方向の幅は、その内部で移動する液体を狭小流路７２０における前面及び後面の両方に接触させるように小さい。つまり、狭小流路７２０は、液体が流路断面を閉塞しながら壁面７２１に沿って移動する狭小流路である。
【００５７】
隔壁７４３には、上端部７３２から右上方に延びる連通路８００が形成されている。連通路８００は、第二廃液部７３０から測定部３９０まで接続する空気の流路である。連通路８００は、隔壁７４３及び対向面３９４を貫通して、測定部３９０内に連通する。連通路８００の測定部３９０側の開口端は、隔壁７４２，７４３が互いに接続する位置にある対向面３９４の上端部に形成される。
【００５８】
廃液部７００は、前面２０３に所定深さに形成された凹部である。凹部の深さは、検査チップ２における前後方向の幅と同義である。本実施形態では、狭小流路７２０の深さは、少なくとも第一廃液部７１０及び第二廃液部７３０の各深さよりも小さい。第一廃液部７１０の深さと第二廃液部７３０の深さとは、互いに等しい。連通路８００の深さと狭小流路７２０の深さとは、互いに等しい。なお、第一廃液部７１０の深さと第二廃液部７３０の深さとは、互いに異なってもよい。連通路８００の深さと狭小流路７２０の深さとは、互いに異なってもよい。
【００５９】
反応部３８０を形成する壁面のうちの下流の壁面を、案内面３８１という。案内面３８１，３９３の傾斜角を、夫々、Ｒ７，Ｒ８とする。図４においては、一例として、傾斜角Ｒ７，Ｒ８を、案内面３８１の夫々と下方向とのなす角で示す。傾斜角Ｒ７，Ｒ８は、以下の式（２）の関係を有する。
Ｒ５，Ｒ６，Ｒ８＞Ｒ７    ・・・（２）
なおＲ５，Ｒ６，Ｒ８は、本実施形態では互いに同じ角度であるが、互いに異なる角度でもよい。
【００６０】
＜６．検査チップ２のその他構造＞
図１に示すように、Ｌ型プレート６０から延びる支軸４６は、図示外の装着用ホルダを介して板材１９の後面中央に垂直に連結される。支軸４６の回転に伴って、検査チップ２が支軸４６を中心に自転する。検査チップ２は図２に示す定常状態である場合、上辺部８１及び下辺部８４が重力の方向と直交し、右辺部８２及び左辺部８３が重力の方向と平行、且つ、左辺部８３が右辺部８２よりも主軸５７側に配置される。定常状態の検査チップ２が測定位置に配置されている状態において、光源７１と光センサ７２とを結ぶ測定光を測定部３９０に通過させることで、検査装置１は光学測定による検査を行う。 
【００６１】
＜７．検査方法の一例＞ 
検査装置１及び検査チップ２を用いた検査方法を説明する。図２に示すように、注入路５３０を介して、停止液導入部３６０に停止液９６が注入される。注入路５２０を介して、基質溶液導入部３５０に基質溶液９５が注入される。注入路５１０を介して、第二洗浄液導入部３４０に第二洗浄液９４が注入される。注入路５００を介して、標識抗体液導入部３３０に標識抗体液９３が注入される。注入路４９０を介して、第一洗浄液導入部３２０に第一洗浄液９２が注入される。注入路４８０を介して、試料液導入部３１０に試料液９１が注入される。各液体の配置方法は、他の手法でもよい。
【００６２】
ユーザは検査チップ２を図示外の装着用ホルダに取り付けて、操作部１０４から処理開始のコマンドを入力する。これによって、ＣＰＵ１０１は、ＲＯＭ１０３に記憶されている制御プログラムに基づいて、図４に示す遠心処理を実行する。ＣＰＵ１０１は遠心処理において、公転コントローラ９７を介して主軸モータ３５を駆動制御することで、検査チップ２の公転開始、公転速度制御、及び公転停止を行う各動作を実行する。本実施形態では、ＣＰＵ１０１は垂直軸線Ａ１を中心として、検査チップ２を平面視で時計回り方向に公転させる（図１参照）。ＣＰＵ１０１は、主軸モータ３５の単位時間当たりの回転数を制御することで、検査チップ２の公転速度を制御する。
【００６３】
ＣＰＵ１０１は遠心処理において、自転コントローラ９８を介してステッピングモータ５１を駆動制御することで、検査チップ２の自転角度を変更する各動作を実行する。以下の説明では、図２に示す定常状態の検査チップ２の自転角度を、０度とする。正面視で水平軸線Ａ２を中心として、定常状態からｍ度反時計回りに回転した検査チップ２の自転角度を、ｍ度とする。例えば、定常状態から９０度反時計回りに回転した検査チップ２の自転角度は、９０度である。本実施形態では、ＣＰＵ１０１は自転角度を増加するように変更する場合、検査チップ２を正面視で水平軸線Ａ２を中心として反時計回りに回転させる。ＣＰＵ１０１は自転角度を減少させるように変更する場合、検査チップ２を正面視で水平軸線Ａ２を中心として時計回りに回転させる。
【００６４】
図４に示すように、まずＣＰＵ１０１は、第一送液処理を実行する（Ｓ１）。第一送液処理では、検査チップ２の公転が開始されて、検査チップ２に遠心力Ｘ１が作用するまで公転速度が上昇される。また、検査チップ２の自転角度が、０度から第一自転角度に変更される。第一自転角度は、遠心力が第一壁面５０１（図２参照）に対して垂直に作用する、検査チップ２の自転角度である。
【００６５】
第一送液処理では、第一自転角度の検査チップ２に、遠心力Ｘ１が所定時間作用される。このとき、図５の状態Ｆ１に示すように、第一壁面５０１に垂直な方向に向けて、遠心力Ｘ１が検査チップ２に作用する。遠心力Ｘ１の作用によって、試料液９１が流路６１０を介して、試料液導入部３１０から共通受部３７０に移動する。上記式（１）の関係によって、第一洗浄液９２、標識抗体液９３、第二洗浄液９４、基質溶液９５、及び停止液９６は、夫々、第一洗浄液導入部３２０、標識抗体液導入部３３０、第二洗浄液導入部３４０、基質溶液導入部３５０、及び停止液導入部３６０に保持される。
【００６６】
次いでＣＰＵ１０１は、第一反応工程を実行する（Ｓ２）。第一反応工程では、検査チップ２に遠心力Ｘ２１が作用するまで、公転速度が下降される。遠心力Ｘ２１は、遠心力Ｘ１以下の大きさであり、本実施形態では遠心力Ｘ１の１／２程度である。また、検査チップ２の自転角度が、第一自転角度から９０度に変更される。
【００６７】
第一反応工程では、自転角度９０度の検査チップ２に、遠心力Ｘ２１が所定時間作用される。このとき、図５の状態Ｆ２に示すように、上辺部８１から下辺部８４に向けて、遠心力Ｘ２１が検査チップ２に作用する。遠心力Ｘ２１の作用によって、試料液９１は共通受部３７０から反応部３８０に移動する。反応部３８０では、試料液９１に含まれる検査対象物質が固相化抗体と結合する。検査対象物質と固相化抗体との結合体を、第一結合体という。
【００６８】
次いでＣＰＵ１０１は、第二送液工程を実行する（Ｓ３）。第二送液工程では、検査チップ２に遠心力Ｘ１が作用するまで、公転速度が上昇される。また、検査チップ２の自転角度が、９０度から第二自転角度に変更される。第二自転角度は、遠心力が第二壁面５０２（図２参照）に対して垂直に作用する、検査チップ２の自転角度である。
【００６９】
第二送液工程では、第二自転角度の検査チップ２に、遠心力Ｘ１が所定時間作用される。このとき、図５の状態Ｆ３に示すように、第二壁面５０２に垂直な方向に向けて、遠心力Ｘ１が検査チップ２に作用する。遠心力Ｘ１の作用によって、第一洗浄液９２が流路６１０を介して第一洗浄液導入部３２０から共通受部３７０に移動し、且つ、試料液９１が反応部３８０から第四受部５５０に移動する。上記式（１）の関係によって、標識抗体液９３、第二洗浄液９４、基質溶液９５、及び停止液９６は、夫々、標識抗体液導入部３３０、第二洗浄液導入部３４０、基質溶液導入部３５０、及び停止液導入部３６０に保持される。
【００７０】
次いでＣＰＵ１０１は、第一洗浄工程を実行する（Ｓ４）。第一洗浄工程では、検査チップ２に遠心力Ｘ３１が作用するまで、公転速度が下降される。遠心力Ｘ３１は、遠心力Ｘ２１未満の大きさであり、本実施形態では遠心力Ｘ２１の１／２程度である。また、検査チップ２の自転角度が、第二自転角度から９０度に変更される。
【００７１】
第一洗浄工程では、自転角度９０度の検査チップ２に、遠心力Ｘ３１が所定時間作用される。このとき、図５の状態Ｆ４に示すように、上辺部８１から下辺部８４に向けて、遠心力Ｘ３１が検査チップ２に作用する。遠心力Ｘ３１の作用によって、第一洗浄液９２が共通受部３７０から反応部３８０に移動し、且つ、試料液９１が第四受部５５０から測定部３９０に移動する。反応部３８０に移動した第一洗浄液９２によって、一回目の反応部３８０の洗浄が行われる。具体的には、反応部３８０では、固相化抗体と結合していない試料液９１の成分が第一洗浄液９２によって除去される。即ち、反応部３８０に残存する第一結合体以外の成分が、第一洗浄液９２によって除去される。
【００７２】
次いでＣＰＵ１０１は、第三送液工程を実行する（Ｓ５）。第三送液工程では、検査チップ２に遠心力Ｘ１が作用するまで、公転速度が上昇される。また、検査チップ２の自転角度が、９０度から０度に変更される。第一送液処理では、自転角度０度の検査チップ２に、遠心力Ｘ１が所定時間作用される。このとき、図５の状態Ｆ５に示すように、左辺部８３から右辺部８２に向けて、検査チップ２に遠心力Ｘ１が作用する。遠心力Ｘ１の作用によって、各液体は次のように移動する。
【００７３】
第一洗浄液９２は、反応部３８０から第四受部５５０に移動する。標識抗体液９３は、標識抗体液導入部３３０から共通受部３７０に移動する。第二洗浄液９４は、第二洗浄液導入部３４０から第三受部４７０に移動する。基質溶液９５は、基質溶液導入部３５０から第二受部４６０に移動する。停止液９６は、停止液導入部３６０から第一受部４５０に移動する。試料液９１は、廃液８５として測定部３９０から第一廃液部７１０に移動する。このとき、廃液８５は第一廃液部７１０の右部に保持される。
【００７４】
次いでＣＰＵ１０１は、第二反応工程を実行する（Ｓ６）。第二反応工程では、検査チップ２に遠心力Ｘ２２が作用するまで、公転速度が下降される。遠心力Ｘ２２は、遠心力Ｘ１以下の大きさであり、好適には遠心力Ｘ２１以下の大きさである。本実施形態の遠心力Ｘ２２は、遠心力Ｘ２１の２／３程度である。また、検査チップ２の自転角度が、０度から９０度に変更される。第二反応工程では、自転角度９０度の検査チップ２に、遠心力Ｘ２２が所定時間作用される。このとき、図５の状態Ｆ６に示すように、上辺部８１から下辺部８４に向けて、遠心力Ｘ２２が検査チップ２に作用する。遠心力Ｘ２２の作用によって、各液体は次のように移動する。
【００７５】
第一洗浄液９２は、第四受部５５０から測定部３９０に移動する。標識抗体液９３は、共通受部３７０から反応部３８０に移動する。第二洗浄液９４は、第三受部４７０から標識抗体液導入部３３０に移動する。基質溶液９５は、第二受部４６０から第二洗浄液導入部３４０に移動する。停止液９６は、第一受部４５０から基質溶液導入部３５０に移動する。反応部３８０では、標識抗体液９３に含まれる酵素標識抗体が、第一結合体と特異的に結合する。酵素標識抗体と第一結合体との結合体を、第二結合体という。
【００７６】
廃液８５は、壁面７０１（図３参照）に沿って第一廃液部７１０内を下方向に移動する。更に廃液８５の一部は、壁面７０２（図３参照）に沿って狭小流路７２０内を左方向に移動して、第二廃液部７３０に流入する。この結果、廃液８５は、遠心力Ｘ２２の作用によって、第一廃液部７１０の下部、狭小流路７２０、及び第二廃液部７３０の下部に保持される。第二廃液部７３０における廃液８５の液面８５１は、第一廃液部７１０における廃液８５の液面８５２は、遠心力方向と直交する方向に並ぶ。液面８５１は、第二廃液部７３０内において下端部７３１（図３参照）よりも遠心力方向の上流側にある。
【００７７】
次いでＣＰＵ１０１は、第四送液工程を実行する（Ｓ７）。第四送液工程では、検査チップ２に遠心力Ｘ１が作用するまで、公転速度が上昇される。また、検査チップ２の自転角度が、９０度から第三自転角度に変更される。第三自転角度は、遠心力が案内面３８１（図２参照）に対して垂直に作用する、検査チップ２の自転角度である。第三送液工程では、第三自転角度の検査チップ２に、遠心力Ｘ１が所定時間作用される。このとき、図６の状態Ｆ７に示すように、案内面３８１に垂直な方向に向けて、遠心力Ｘ１が検査チップ２に作用する。遠心力Ｘ１の作用によって、各液体は次のように移動する。
【００７８】
標識抗体液９３は、反応部３８０から第四受部５５０に移動する。第二廃液部７３０にある廃液８５のうち、下端部７３１よりも上側にある廃液８５を、対象廃液という。対象廃液は、壁面７０３（図３参照）に沿って右端部７３３に移動して、第二廃液部７３０の右部に保持される。廃液部７００にある廃液８５は、対象廃液を除いて、壁面７０２に沿って第一廃液部７１０の右下部に移動して保持される。
【００７９】
上記式（２）の関係によって、第一洗浄液９２、第二洗浄液９４、基質溶液９５、及び停止液９６は、夫々、測定部３９０、標識抗体液導入部３３０、第二洗浄液導入部３４０、基質溶液導入部３５０に保持される。但し、検査チップ２が第三自転角度にある場合、遠心力の作用によって標識抗体液導入部３３０に保持可能な液量は、第二洗浄液９４の総量よりも少ない。従って、標識抗体液導入部３３０にある第二洗浄液９４の一部は、遠心力Ｘ１の作用によって、標識抗体液導入部３３０から溢れて共通受部３７０に移動する。本実施形態では、第二洗浄液９４の一部が、標識抗体液導入部３３０から共通受部３７０に移動する。
【００８０】
次いでＣＰＵ１０１は、第二洗浄工程を実行する（Ｓ８）。第二洗浄工程では、検査チップ２に遠心力Ｘ３２が作用するまで、公転速度が下降される。遠心力Ｘ３２は、遠心力Ｘ２１未満の大きさであり、本実施形態では遠心力Ｘ３１と同程度である。また、検査チップ２の自転角度が、第三自転角度から９０度に変更される。第二洗浄工程では、自転角度９０度の検査チップ２に、遠心力Ｘ３２が所定時間作用される。このとき、図６の状態Ｆ８に示すように、上辺部８１から下辺部８４に向けて、遠心力Ｘ３２が検査チップ２に作用する。遠心力Ｘ３２の作用によって、各液体は次のように移動する。
【００８１】
共通受部３７０にある第二洗浄液９４が、反応部３８０に移動する。反応部３８０に移動した第二洗浄液９４によって、二回目の反応部３８０の洗浄が行われる。具体的には、反応部３８０では、第一結合体と結合していない標識抗体液９３の成分が、第二洗浄液９４によって除去される。即ち、反応部３８０に残存する第二結合体以外の成分が、第二洗浄液９４によって除去される。標識抗体液９３が、第四受部５５０から測定部３９０に移動する。測定部３９０では、標識抗体液９３と第一洗浄液９２とが混合して、混合液８６が生成される。廃液部７００では、廃液８５が図５の状態Ｆ６と同様に移動する。
【００８２】
次いでＣＰＵ１０１は、第五送液工程を実行する（Ｓ９）。第五送液工程では、検査チップ２に遠心力Ｘ１が作用するまで、公転速度が上昇される。また、検査チップ２の自転角度が、９０度から０度に変更される。第五送液処理では、自転角度０度の検査チップ２に、遠心力Ｘ１が所定時間作用される。このとき、図６の状態Ｆ９に示すように、左辺部８３から右辺部８２に向けて、検査チップ２に遠心力Ｘ１が作用する。遠心力Ｘ１の作用によって、各液体は次のように移動する。
【００８３】
反応部３８０にある第二洗浄液９４は、第四受部５５０に移動する。標識抗体液導入部３３０にある第二洗浄液９４は、共通受部３７０に移動する。基質溶液９５は、第二洗浄液導入部３４０から第三受部４７０に移動する。停止液９６は、基質溶液導入部３５０から第二受部４６０に移動する。混合液８６は、廃液８５として測定部３９０から第一廃液部７１０に移動する。これにより、廃液部７００に貯留される廃液８５が増量する。対象廃液は、壁面７０３に沿って右端部７３３に移動して、第二廃液部７３０の右部に保持される。廃液部７００にある廃液８５は、対象廃液を除いて、壁面７０２に沿って第一廃液部７１０の右部に移動して保持される。
【００８４】
次いでＣＰＵ１０１は、第三洗浄工程を実行する（Ｓ１０）。第三洗浄工程では、検査チップ２に遠心力Ｘ３３が作用するまで、公転速度が下降される。遠心力Ｘ３３は、遠心力Ｘ２１未満の大きさであり、好適には遠心力Ｘ３２以上の大きさである。本実施形態の遠心力Ｘ３３は、遠心力Ｘ３２の３／２程度である。また、検査チップ２の自転角度が、０度から９０度に変更される。第三洗浄工程では、自転角度９０度の検査チップ２に、遠心力Ｘ３３が所定時間作用される。このとき、図６の状態Ｆ１０に示すように、上辺部８１から下辺部８４に向けて、遠心力Ｘ３３が検査チップ２に作用する。遠心力Ｘ３３の作用によって、各液体は次のように移動する。
【００８５】
第四受部５５０にある第二洗浄液９４が、測定部３９０に移動する。共通受部３７０にある第二洗浄液９４が、反応部３８０に移動する。反応部３８０に移動した第二洗浄液９４によって、二回目の反応部３８０の洗浄と同様に、三回目の反応部３８０の洗浄が行われる。基質溶液９５は、第三受部４７０から標識抗体液導入部３３０に移動する。停止液９６は、第二受部４６０から第二洗浄液導入部３４０に移動する。廃液部７００では、廃液８５が図６の状態Ｆ８と同様に移動する。このとき、液面８５１，８５２は、状態Ｆ８よりも遠心力方向の上流側にある。
【００８６】
次いでＣＰＵ１０１は、第六送液工程を実行する（Ｓ１１）。第六送液工程では、検査チップ２に遠心力Ｘ１が作用するまで、公転速度が上昇される。また、検査チップ２の自転角度が、９０度から０度に変更される。第六送液処理では、自転角度０度の検査チップ２に、遠心力Ｘ１が所定時間作用される。このとき、図６の状態Ｆ１１に示すように、左辺部８３から右辺部８２に向けて、検査チップ２に遠心力Ｘ１が作用する。遠心力Ｘ１の作用によって、各液体は次のように移動する。
【００８７】
反応部３８０にある第二洗浄液９４は、第四受部５５０に移動する。基質溶液９５は、標識抗体液導入部３３０から共通受部３７０に移動する。停止液９６は、第二洗浄液導入部３４０から第三受部４７０に移動する。測定部３９０にある第二洗浄液９４は、廃液８５として第一廃液部７１０に移動する。これにより、廃液部７００に貯留される廃液８５が増量する。廃液部７００では、廃液８５が図６の状態Ｆ９と同様に移動する。このとき、第一廃液部７１０及び第二廃液部７３０の各々で保持される廃液８５の液量は、状態Ｆ９よりも多い。
【００８８】
次いでＣＰＵ１０１は、第三反応工程を実行する（Ｓ１２）。第三反応工程では、検査チップ２に遠心力Ｘ２３が作用するまで、公転速度が下降される。遠心力Ｘ２３は、遠心力Ｘ１以下の大きさであり、好適には遠心力Ｘ２１以下の大きさである。本実施形態の遠心力Ｘ２３は、遠心力Ｘ２２と同程度である。また、検査チップ２の自転角度が、０度から９０度に変更される。第三反応工程では、自転角度９０度の検査チップ２に、遠心力Ｘ２３が所定時間作用される。このとき、図６の状態Ｆ１２に示すように、上辺部８１から下辺部８４に向けて、遠心力Ｘ２３が検査チップ２に作用する。遠心力Ｘ２３の作用によって、各液体は次のように移動する。
【００８９】
第二洗浄液９４は、第四受部５５０から測定部３９０に移動する。基質溶液９５は、共通受部３７０から反応部３８０に移動する。反応部３８０では、基質溶液９５が第二結合体に含まれる酵素標識抗体と酵素反応する。停止液９６は、第三受部４７０から標識抗体液導入部３３０に移動する。廃液部７００では、廃液８５が図６の状態Ｆ１０と同様に移動する。このとき、液面８５１，８５２は、状態Ｆ１０よりも遠心力方向の上流側にある。
【００９０】
次いでＣＰＵ１０１は、第七送液工程を実行する（Ｓ１３）。第七送液工程では、検査チップ２に遠心力Ｘ１が作用するまで、公転速度が上昇される。また、検査チップ２の自転角度が、９０度から０度に変更される。第七送液処理では、自転角度０度の検査チップ２に、遠心力Ｘ１が所定時間作用される。このとき、図７の状態Ｆ１３に示すように、左辺部８３から右辺部８２に向けて、検査チップ２に遠心力Ｘ１が作用する。遠心力Ｘ１の作用によって、各液体は次のように移動する。
【００９１】
基質溶液９５は、反応部３８０から第四受部５５０に移動する。停止液９６は、標識抗体液導入部３３０から共通受部３７０に移動する。測定部３９０にある第二洗浄液９４は、廃液８５として第一廃液部７１０に移動する。これにより、廃液部７００に貯留される廃液８５が増量する。廃液部７００では、廃液８５が図６の状態Ｆ１１と同様に移動する。このとき、第一廃液部７１０及び第二廃液部７３０の各々で保持される廃液８５の液量は、状態Ｆ１１よりも多い。
【００９２】
次いでＣＰＵ１０１は、第四反応工程を実行する（Ｓ１４）。第四反応工程では、検査チップ２に遠心力Ｘ２４が作用するまで、公転速度が下降される。遠心力Ｘ２４は、遠心力Ｘ１以下の大きさであり、好適には遠心力Ｘ２１以下の大きさである。本実施形態の遠心力Ｘ２４は、遠心力Ｘ２２と同程度である。また、検査チップ２の自転角度が、０度から９０度に変更される。第四反応工程では、自転角度９０度の検査チップ２に、遠心力Ｘ２４が所定時間作用される。
【００９３】
このとき、図７の状態Ｆ１４に示すように、上辺部８１から下辺部８４に向けて、遠心力Ｘ２４が検査チップ２に作用する。遠心力Ｘ２４の作用によって、各液体は次のように移動する。基質溶液９５は、第四受部５５０から測定部３９０に移動する。停止液９６は、共通受部３７０から反応部３８０に移動する。廃液部７００では、廃液８５が図６の状態Ｆ１２と同様に移動する。このとき、液面８５１，８５２は、状態Ｆ１２よりも遠心力方向の上流側にある。
【００９４】
次いでＣＰＵ１０１は、第八送液工程を実行する（Ｓ１５）。第八送液工程では、検査チップ２に遠心力Ｘ１が作用するまで、公転速度が上昇される。また、検査チップ２の自転角度が、９０度から第三自転角度に変更される。第八送液工程では、第三自転角度の検査チップ２に、遠心力Ｘ１が所定時間作用される。
【００９５】
このとき、図７の状態Ｆ１５に示すように、案内面３８１に垂直な方向に向けて、遠心力Ｘ１が検査チップ２に作用する。遠心力Ｘ１の作用によって、停止液９６は反応部３８０から第四受部５５０に移動する。上記式（２）の関係によって、基質溶液９５は測定部３９０に保持される。廃液部７００では、廃液８５が図６の状態Ｆ７と同様に移動する。
【００９６】
次いでＣＰＵ１０１は、第五反応工程を実行する（Ｓ１６）。第五反応工程では、検査チップ２に遠心力Ｘ２５が作用するまで、公転速度が下降される。遠心力Ｘ２５は、遠心力Ｘ１以下の大きさであり、好適には遠心力Ｘ２１以下の大きさである。本実施形態の遠心力Ｘ２５は、遠心力Ｘ２２と同程度である。また、検査チップ２の自転角度が、０度から９０度に変更される。第五反応工程では、自転角度９０度の検査チップ２に、遠心力Ｘ２５が所定時間作用される。
【００９７】
このとき、図７の状態Ｆ１６に示すように、上辺部８１から下辺部８４に向けて、遠心力Ｘ２４が検査チップ２に作用する。遠心力Ｘ２５の作用によって、停止液９６は第四受部５５０から測定部３９０に移動する。測定部３９０では、基質溶液９５に停止液９６が混合され、基質溶液９５の酵素反応の進行が停止する。停止液９６が混合された基質溶液９５を、測定溶液８７という。廃液部７００では、廃液８５が図７の状態Ｆ１４と同様に移動する。
【００９８】
ＣＰＵ１０１は、第五反応工程の実行後、公転速度を０まで下降させ、且つ自転角度を９０度から０度に変更して、遠心処理を終了する。図７の状態Ｆ１６に示すように、検査チップ２には、上辺部８１から下辺部８４に向けて重力Ｇが作用する。重力Ｇによって、測定溶液８７は測定部３９０に保持される。ＣＰＵ１０１は、遠心処理の実行後、検査チップ２を測定位置まで公転させる。
【００９９】
図１に示すように、測定コントローラ９９は、光源７１を発光させることで、測定光を測定部３９０に貯溜された測定溶液８７に透過させる。ＣＰＵ１０１は、光センサ７２が受光した測定光の変化量に基づいて、測定溶液８７の光学測定を行い、測定データを取得する。ＣＰＵ１０１は、取得された測定データに基づいて測定溶液８７の測定結果を算出し、その算出結果をディスプレイ１０６に表示させる。尚、測定溶液８７の測定方法は、光学測定に限られず、他の方法でもよい。
【０１００】
＜８．廃液部７００における液体の挙動態様＞ 
図８及び図９を参照して、廃液部７００における液体の挙動態様を説明する。遠心処理では、遠心力方向の変化に応じて、廃液８５が狭小流路７２０を介して第一廃液部７１０と第二廃液部７３０との間を移動する場合がある。本実施形態では、第一廃液部７１０、第二廃液部７３０、狭小流路７２０、及び連通路８００が、測定部３９０を囲む循環経路を形成する。測定部３９０を囲む循環経路は、測定部３９０を通って周回するように連通する経路である。これにより廃液８５は、廃液部７００内で以下のように移動される。
【０１０１】
（１）図８を参照して、廃液８５が第一廃液部７１０から第二廃液部７３０に移動する態様を説明する。例えばＳ６の第二反応工程（図５の状態Ｆ６参照）では、自転角度９０度の検査チップ２に遠心力Ｘ２２が作用する。矢印Ｄ１に示すように、第一廃液部７１０にある廃液８５は、壁面７０１に沿って下方向に移動し、更に壁面７０２に沿って左方向に移動する。このとき廃液８５は、接続部７５１を経由して狭小流路７２０に進入する。廃液８５は、狭小流路７２０の流路断面を閉塞しながら壁面７２１に沿って移動する。
【０１０２】
廃液８５が狭小流路７２０内を左方向に移動するのに伴って、狭小流路７２０にある空気が第二廃液部７３０内に押し出される。矢印Ｄ２に示すように、空気が第二廃液部７３０内に押し出されるのに伴って、第二廃液部７３０にある空気が連通路８００を介して測定部３９０内に流出する。これにより、狭小流路７２０を移動する廃液８５は、第二廃液部７３０内へスムーズに流入する。
【０１０３】
図９を参照して、廃液８５が第二廃液部７３０から第一廃液部７１０に移動する態様を説明する。例えばＳ９の第五送液工程（図６の状態Ｆ９参照）では、自転角度０度の検査チップ２に遠心力Ｘ１が作用する。矢印Ｅ１に示すように、第二廃液部７３０にある対象廃液は、壁面７０３に沿って、第二廃液部７３０内の右端部７３３に向けて移動する。矢印Ｅ２に示すように、廃液部７００にある廃液８５は、対象廃液を除いて、壁面７０２に沿って右方向に移動し、更に壁面７０１に沿って上方向に移動する。このとき廃液８５の一部は、狭小流路７２０の流路断面を閉塞しながら壁面７２１に沿って移動する。
【０１０４】
廃液８５が狭小流路７２０内を右方向に移動するのに伴って、第二廃液部７３０にある対象廃液以外の廃液８５が、接続部７５２を介して狭小流路７２０に流入する。矢印Ｅ３に示すように、廃液８５が第二廃液部７３０から狭小流路７２０に流入するのに伴って、測定部３９０にある空気が連通路８００を介して第二廃液部７３０内に流入する。これにより、狭小流路７２０を移動する廃液８５は、第一廃液部７１０内へスムーズに流入する。従って廃液８５が第一廃液部７１０及び第二廃液部７３０の右方向へ移動する場合に、廃液８５が予期せぬ方向へ移動して測定部３９０に逆流することを抑制できる。また、廃液８５が第二廃液部７３０の壁面７０３を通過することにより、以後の工程で廃液部７００に流入し増量した廃液８５を、スムーズに第二廃液部７３０に分配できる。これにより、第一廃液部７１０に戻る廃液８５の液量が抑制されるため、廃液８５が測定部３９０に逆流することを抑制できる。
【０１０５】
従って、廃液部７００にある廃液８５は、狭小流路７２０を介して、第一廃液部７１０と第二廃液部７３０との間でスムーズに移動できる。測定部３９０から廃液部７００に流出した廃液８５が測定部３９０に逆流することを、第二廃液部７３０を大容量化することなく防止できる。即ち、検査チップ２の全体サイズを抑制しつつ、適切な液体を測定部３９０に保持させることができる。
【０１０６】
（２）測定部３９０に保持されている液体は、隔壁７４３とは反対側にある隔壁７４５に沿って下流側に移動されるため、隔壁７４３に形成された連通路８００に進入しにくい。従って、測定部３９０に保持されている液体が、連通路８００を介して第二廃液部７３０に流入することを抑制できる。また、連通路８００は測定部３９０と第二廃液部７３０とを隔てる隔壁７４３に設けられているので、測定部３９０を囲む循環経路を省スペース且つ簡易に形成できる。また、液体流路２５は板材１９の一面に凹部として形成されているので、測定部３９０を囲む循環経路を有する検査チップ２を容易に製造できる。
【０１０７】
（３）連通路８００が第二廃液部７３０から測定部３９０に延びる方向を、連通路８００の延伸方向という。連通路８００の延伸方向は、検査チップ２における右上方向である。自転角度０度にある検査チップ２には、検査チップ２における右方向の遠心力が作用する。自転角度９０度にある検査チップ２には、検査チップ２における下方向の遠心力が作用する。右上方向は、右方向と直交する上下方向に対して傾斜し、且つ下方向と直交する左右方向に対して傾斜する。即ち、連通路８００の延伸方向は、検査チップ２が自転角度０度及び９０度の何れにある場合でも、検査チップ２に作用する遠心力の方向と直交する方向に対して傾斜する。
【０１０８】
仮に第二廃液部７３０から連通路８００に廃液８５が進入した場合でも、自転角度０度及び９０度とは異なる自転角度にある検査チップ２に遠心力を付与することで、廃液８５を連通路８００から第二廃液部７３０に排出できる。これにより、連通路８００が廃液８５によって塞がれることが防止されるため、空気が測定部３９０と第二廃液部７３０との間で移動可能な状態を保つことができる。
【０１０９】
（４）自転角度０度及び９０度の範囲内で回転する検査チップに作用する遠心力は、検査チップ２における右方向と下方向の間で９０度変化する。連通路８００の延伸方向である右上方向は、自転角度０度及び９０度の範囲内で回転する検査チップに作用する全ての遠心力の方向と異なる。即ち、連通路８００の延伸方向は、検査チップ２に作用する可能性がある全ての遠心力の方向と異なる。従って、検査チップ２に遠心力が付与された場合に、第二廃液部７３０にある廃液８５が、連通路８００を介して測定部３９０に流出することを抑制できる。
【０１１０】
＜９．本実施形態の作用の例示＞
（１）検査チップ２は、測定部３９０、第一廃液部７１０、狭小流路７２０、第二廃液部７３０、及び連通路８００を備える。測定部３９０は、液体を保持可能な領域であって、保持された液体の下流側への流出が複数回行われる。第一廃液部７１０は、測定部３９０から流出した液体を受ける領域である。第二廃液部７３０は、第一廃液部７１０の下流側に設けられ、第一廃液部７１０から流出した液体を受ける領域である。狭小流路７２０は、壁面７２１に囲まれて形成された、第一廃液部７１０と第二廃液部７３０とを接続する流路である。液体は、狭小流路７２０の流路断面を閉塞しながら、壁面７２１に沿って移動する。第一廃液部７１０、第二廃液部７３０、狭小流路７２０、及び連通路８００は、測定部３９０を囲む循環経路を形成する。
【０１１１】
これによれば、測定部３９０に保持された液体の下流側への流出が、複数回行われる。測定部３９０から流出した液体は、第一廃液部７１０によって受けられる。第一廃液部７１０から下流側に流出する液体は、狭小流路７２０において流路断面を閉塞しながら壁面７２１に沿って移動して、第二廃液部７３０によって受けられる。このとき、第二廃液部７３０にある空気は、第二廃液部７３０に移動する液体の圧力によって、連通路８００を介して測定部３９０に流出する。
【０１１２】
従って、測定部３９０から下流側に流出した液体は、第一廃液部７１０及び狭小流路７２０を経由して、第二廃液部７３０までスムーズに移動できる。測定部３９０から廃液部７００に流出した廃液８５が測定部３９０に逆流することを、第二廃液部７３０を大容量化することなく防止できる。即ち、検査チップ２の全体サイズを抑制しつつ、適切な液体を測定部３９０に保持させることができる。
【０１１３】
（２）測定部３９０は、所定方向に凹む壁部３９２によって囲まれた領域である。壁部３９２は、測定部３９０に保持された液体を下流側に案内する案内面３９３を有する隔壁７４５と、隔壁７４５と対向する対向面３９４を有する隔壁７４３とを含む。連通路８００は、隔壁７４３を貫通して、測定部３９０の内部と連通している。これにより、測定部３９０に保持されている液体は、隔壁７４３とは反対側にある隔壁７４５に沿って下流側に移動されるため、隔壁７４３に形成された連通路８００に進入しにくい。従って、測定部３９０に保持されている液体が、連通路８００を介して第二廃液部７３０に流入することを抑制できる。
【０１１４】
（３）測定部３９０は、第一廃液部７１０と第二廃液部７３０とに挟まれた位置に配置されている。隔壁７４５は、測定部３９０と第一廃液部７１０とを隔てる壁部である。隔壁７４３は、測定部３９０と第二廃液部７３０とを隔てる壁部である。連通路８００を測定部３９０と第二廃液部７３０とを隔てる隔壁７４３に設けることで、測定部３９０を囲む循環経路を省スペース且つ簡易に形成できる。
【０１１５】
（４）検査チップ２は、液体流路２５及び板材１９を備える。液体流路２５は、測定部３９０、第一廃液部７１０、狭小流路７２０、第二廃液部７３０、及び連通路８００を含み、液体が移動可能な流路である。板材１９は、液体流路２５が凹部として一面に形成された基板である。板材１９の一面に凹部として液体流路２５を形成することで、測定部３９０を囲む循環経路を有する検査チップ２を容易に製造できる。
【０１１６】
（５）検査チップ２は、垂直軸線Ａ１を中心として回転された場合に、検査チップ２に遠心力が作用し、垂直軸線Ａ１とは異なる水平軸線Ａ２を中心として回転された場合に、検査チップ２に作用する前記遠心力の方向が変化する。検査チップ２は、水平軸線Ａ２を中心として自転角度０度及び９０度の範囲内で回転可能である。連通路８００が第二廃液部７３０から測定部３９０に延びる方向は、自転角度０度にある検査チップ２に作用する遠心力の方向と直交する方向に対して傾斜し、且つ、自転角度９０度にある検査チップ２に作用する遠心力の方向と直交する方向に対して傾斜する。
【０１１７】
検査装置１は、公転コントローラ９７及び自転コントローラ９８を備える。公転コントローラ９７は、垂直軸線Ａ１を中心として検査チップ２を回転させることで、検査チップ２に遠心力を作用させる。自転コントローラ９８は、水平軸線Ａ２を中心として検査チップ２を自転角度０度及び９０度の範囲内で回転させることで、検査チップ２に作用する遠心力の方向を変化させる。
【０１１８】
これにより、検査チップ２が自転角度０度及び９０度の範囲内で自転されるのに応じて、検査チップ２に作用する遠心力の方向が変化する。連通路８００が第二廃液部７３０から測定部３９０に延びる方向は、検査チップ２が自転角度０度及び９０度の何れにある場合でも、検査チップ２に作用する遠心力の方向と直交する方向に対して傾斜する。仮に第二廃液部７３０から連通路８００に液体が進入した場合でも、自転角度０度及び９０度とは異なる自転角度にある検査チップ２に遠心力を付与することで、連通路８００から第二廃液部７３０に液体を排出できる。これにより、連通路８００が液体によって塞がれることが防止されるため、空気が測定部３９０と第二廃液部７３０との間で移動可能な状態を保つことができる。
【０１１９】
（６）連通路８００が第二廃液部７３０から測定部３９０に延びる方向は、自転角度０度及び９０度の範囲内で回転する検査チップに作用する全ての遠心力の方向と異なる。即ち、連通路８００が第二廃液部７３０から測定部３９０に延びる方向は、検査チップ２に作用する可能性がある全ての遠心力の方向と異なる。従って、検査チップ２に遠心力が付与された場合に、第二廃液部７３０にある液体が連通路８００を介して測定部３９０に流出することを抑制できる。
【０１２０】
＜１０．備考＞
本発明は上記実施形態に限定されず、各種変形が可能である。例えば、検査チップ２で使用される液体は、試料液９１、第一洗浄液９２、標識抗体液９３、第二洗浄液９４、基質溶液９５、及び停止液９６に限定されず、他の液体でもよい。例えば、反応に関与する液体は、試料液９１、標識抗体液９３、及び基質溶液９５に限定されず、触媒液等でもよい。反応に関与しない液体は、第一洗浄液９２及び第二洗浄液９４に限定されず、希釈液等でもよい。
【０１２１】
検査装置１は、遠心処理（図４参照）において、第一軸を中心に検査チップ２を公転させ、且つ、第一軸とは異なる第二軸を中心に検査チップ２を自転させればよい。遠心処理において検査チップ２が自転される角度幅は、自転角度０度〜９０度に限定されない。例えば検査装置１は、遠心処理において、自転角度０度〜１８０度の角度幅で自転させてもよい。遠心処理では、遠心力に代えて、他の加速度が用いられてもよい。他の加速度は、重力又は重力と遠心力との合力が例示される。例えば検査装置１は、遠心処理における各工程の少なくとも一つにおいて、重力又は重力と遠心力との合力を検査チップ２に作用させることで、各液体を移動又は反応させてもよい。
【０１２２】
遠心処理は、検査目的、検査手法、液体の種類等に応じて、適宜変更可能である。例えば、上記実施形態の遠心処理（図４参照）では、反応部３８０に残存する第二結合体以外の成分を除去する洗浄工程が、第二洗浄工程（Ｓ８）及び第三洗浄工程（Ｓ１０）として二回分が実行される。これに代えて、反応部３８０に残存する第二結合体以外の成分を除去する洗浄工程が一回だけ実行されてもよいし、三回以上実行されてもよい。同様に、反応部３８０に残存する第一結合体以外の成分を除去する洗浄工程は、一回の第一洗浄工程（Ｓ４）に限定されず、複数回実行されてもよい。
【０１２３】
検査チップ２の形状及び構造は、各種変形が可能である。例えば、連通路８００は、上記実施形態に限定されず、各種変形が可能である。連通路は、第二廃液部と、第二廃液部よりも上流側にある液体の保持部とを接続する空気の流路であればよい。より好適には、連通路は、第二廃液部において液体が通らない部位と、保持部において液体が通らない部位とを接続する。
【０１２４】
（１）図１０を参照して、第一変形例の検査チップ２Ａを説明する。検査チップ２Ａは、連通路８００（図３参照）に代えて連通路８０１が設けられている点が、上記実施形態の検査チップ２と異なる。連通路８０１は、空気穴８０１Ａ，８０１Ｂ及び接続路８０１Ｃを含む。
【０１２５】
空気穴８０１Ａは、第二廃液部７３０の左上部７３４に設けられ、且つ板材１９の後面（図示外）まで貫通している。空気穴８０１Ｂは、標識抗体液導入部３３０に設けられ、且つ板材１９の後面まで貫通している。空気穴８０１Ｂは、標識抗体液導入部３３０と第三受部４７０とを隔てる隔壁７５０の下側にある。隔壁７５０の下側は、遠心処理時に液体が通らない部位である。接続路８０１Ｃは、板材１９の後面に設けられた、空気穴８０１Ａと空気穴８０１Ｂとを接続する凹部である。接続路８０１Ｃは、板材１９の後面に貼り付けられたシート（図示外）によって封止されている。第一廃液部７１０、第二廃液部７３０、狭小流路７２０、及び連通路８０１は、少なくとも標識抗体液導入部３３０及び測定部３９０を囲む循環経路を形成する。
【０１２６】
検査チップ２Ａでは、廃液（図示外）が狭小流路７２０を介して第一廃液部７１０と第二廃液部７３０との間を移動するのに伴って、空気が連通路８０１を介して第二廃液部７３０と標識抗体液導入部３３０との間を移動する。これにより、廃液部７００にある廃液は、狭小流路７２０を介して、第一廃液部７１０と第二廃液部７３０との間でスムーズに移動できる。
【０１２７】
（２）図１１を参照して、第二変形例の検査チップ２Ｂを説明する。図１１は、検査チップ２Ｂのうち、廃液部１７００近傍を拡大した正面図である。検査チップ２Ｂでは、検査チップ２と同様に、板材１００１の前面に液体流路１００２が形成されている。液体流路１００２の最下流部に、廃液部１７００が設けられている。廃液部１７００の上流側に、測定部１３９０が設けられている。測定部１３９０の上流側に、反応部１３８０が設けられている。液体流路１００２では、測定部１３９０と反応部１３８０との間に他の保持部（図示外）が設けられているため、測定部１３９０と反応部１３８０とは直接的に接続されていない。
【０１２８】
廃液部１７００は、第一廃液部１７１０、狭小流路１７２０、及び第二廃液部１７３０を含む。第一廃液部１７１０は、測定部１３９０の右上部から下方向に延びる。狭小流路１７２０は、第一廃液部１７１０の下端部から左方向に延びる。第二廃液部１７３０は、狭小流路１７２０の左端部から上側に凹む。第一廃液部１７１０は、隔壁１０１１を挟んで測定部１３９０の右側に配置される。第二廃液部１７３０は、隔壁１０１２を挟んで第一廃液部１７１０の左側に配置される。狭小流路１７２０は、隔壁１０１３を挟んで第二廃液部１７３０の下側に配置される。第二廃液部１７３０は、隔壁１０１４を挟んで測定部１３９０の下側に配置される。
【０１２９】
反応部１３８０は、隔壁１０１５を挟んで測定部１３９０の左側に配置される。隔壁１０１５には、連通路１８００が設けられている。連通路１８００は、第二廃液部１７３０の左上端部から反応部１３８０の右下端部まで、隔壁１０１５を貫通して左上方向に延びる。反応部１３８０の右下端部は、遠心処理時に液体が通らない部位である。第一廃液部１７１０、第二廃液部１７３０、狭小流路１７２０、及び連通路１８００は、少なくとも反応部１３８０及び測定部１３９０を囲む循環経路を形成する。
【０１３０】
検査チップ２Ｂでは、廃液（図示外）が狭小流路１７２０を介して第一廃液部１７１０と第二廃液部１７３０との間を移動するのに伴って、空気が連通路１８００を介して第二廃液部１７３０と反応部１３８０との間を移動する。これにより、廃液部１７００にある廃液は、狭小流路１７２０を介して、第一廃液部１７１０と第二廃液部１７３０との間でスムーズに移動できる。
【０１３１】
（３）図１２を参照して、第三変形例の検査チップ２Ｃを説明する。図１２は、検査チップ２Ｃのうち、廃液部２７００近傍を拡大した正面図である。検査チップ２Ｃでは、検査チップ２と同様に、板材２００１の前面に液体流路２００２が形成されている。液体流路２００２の最下流部に、廃液部２７００が設けられている。廃液部２７００の上流側に、測定部２３９０が設けられている。測定部２３９０の上流側に、受部２５５０が設けられている。受部２５５０の上流側に、反応部２３８０が設けられている。
【０１３２】
廃液部２７００は、第一廃液部２７１０、狭小流路２７２０、及び第二廃液部２７３０を含む。第一廃液部２７１０は、測定部２３９０の右上部から下方向に延びる。狭小流路２７２０は、第一廃液部２７１０の下端部から左方向に延びる。第二廃液部２７３０は、狭小流路２７２０の左端部から上側に凹む。測定部２３９０は、隔壁２０１１を挟んで反応部２３８０の右側に配置される。第一廃液部２７１０は、隔壁２０１２を挟んで測定部２３９０の右側に配置される。狭小流路２７２０は、隔壁２０１３を挟んで、反応部２３８０、測定部２３９０、及び第二廃液部２７３０の下側に配置される。第二廃液部２７３０は、隔壁２０１４を挟んで反応部２３８０の左側に配置される。
【０１３３】
隔壁２０１４には、連通路２８００が設けられている。連通路２８００は、第二廃液部２７３０の左上端部から反応部２３８０の左上端部まで、隔壁２０１４を貫通して右上方向に延びる。反応部２３８０の左上端部は、遠心処理時に液体が通らない部位である。第一廃液部２７１０、第二廃液部２７３０、狭小流路２７２０、及び連通路２８００は、反応部２３８０、受部２５５０、及び測定部２３９０を囲む循環経路を形成する。
【０１３４】
検査チップ２Ｃでは、廃液（図示外）が狭小流路２７２０を介して第一廃液部２７１０と第二廃液部２７３０との間を移動するのに伴って、空気が連通路２８００を介して第二廃液部２７３０と反応部２３８０との間を移動する。これにより、廃液部２７００にある廃液は、狭小流路２７２０を介して、第一廃液部２７１０と第二廃液部２７３０との間でスムーズに移動できる。
【０１３５】
（４）検査チップ２Ａは、連通路が板材の前面とは異なる部位に設けられてもよいことを例示した。検査チップ２Ａ〜２Ｃの各々は、連通路が第二廃液部と直接接続されていない保持部に接続されてもよいこと、及び連通路が測定部とは異なる保持部に接続されてもよいことを例示した。検査チップ２Ｂ，２Ｃの各々は、検査チップ２とは液体流路の形状が異なっていても、検査チップ２と同様の作用を奏することを例示した。検査チップ２Ａ，２Ｂの各々は、連通路の延伸方向が右上方向に限定されないことを例示した。
【０１３６】
なお、上記実施形態及び変形例において、検査チップ２，２Ａ，２Ｂ，２Ｃの各々は、本発明の「検査チップ」の一例である。試料液９１、第一洗浄液９２、標識抗体液９３、第二洗浄液９４、基質溶液９５、及び停止液９６の各々は、本発明の「液体」の一例である。測定部３９０、標識抗体液導入部３３０、反応部１３８０，２３８０の各々は、本発明の「保持部」の一例である。第一廃液部７１０，１７１０，２７１０の各々は、本発明の「第一廃液部」の一例である。第二廃液部７３０，１７３０，２７３０の各々は、本発明の「第二廃液部」の一例である。狭小流路７２０，１７２０，２７２０の各々は、本発明の「狭小流路」の一例である。連通路８００，８０１，１８００，２８００の各々は、本発明の「連通路」の一例である。
【０１３７】
壁部３９２は、本発明の「壁部」の一例である。隔壁７４５は、本発明の「案内壁」の一例である。隔壁７４３は、本発明の「対向壁」の一例である。液体流路２５，１００２，２００２の各々は、本発明の「液体流路」の一例である。板材１９，１００１，２００１の各々は、本発明の「基板」の一例である。垂直軸線Ａ１は、本発明の「第一軸」の一例である。水平軸線Ａ２は、本発明の「第二軸」の一例である。自転角度０度は、本発明の「第一角度」の一例である。自転角度９０度は、本発明の「第二角度」の一例である。公転コントローラ９７は、本発明の「公転手段」の一例である。自転コントローラ９８は、本発明の「自転手段」の一例である。
【符号の説明】
【０１３８】
１    検査装置
２，２Ａ，２Ｂ，２Ｃ    検査チップ
３    検査システム
１９，１００１，２００１    板材
２５，１００２，２００２    液体流路
９１    試料液
９２    第一洗浄液
９３    標識抗体液
９４    第二洗浄液
９５    基質溶液
９６    停止液
９７    公転コントローラ
９８    自転コントローラ
９９    測定コントローラ
３３０    標識抗体液導入部
３９０    測定部
３９２    壁部
７１０，１７１０，２７１０    第一廃液部
７２０，１７２０，２７２０    狭小流路
７２１    壁面
７３０，１７３０，２７３０    第二廃液部
７４３    隔壁
７４５    隔壁
８００，８０１，１８００，２８００    連通路
１３８０，２３８０    反応部
【図１】
2017067567.tif 000003
【図２】
2017067567.tif 000004
【図３】
2017067567.tif 000005
【図４】
2017067567.tif 000006
【図５】
2017067567.tif 000007
【図６】
2017067567.tif 000008
【図７】
2017067567.tif 000009
【図８】
2017067567.tif 000010
【図９】
2017067567.tif 000011
【図１０】
2017067567.tif 000012
【図１１】
2017067567.tif 000013
【図１２】
2017067567.tif 000014